(57)【特許請求の範囲】
【請求項１】
電源装置であって、
１次巻線に入力された交流電圧を変圧して２次巻線から出力する変圧器と、
前記２次巻線に接続され、該２次巻線から出力される電圧を整流して出力する第１の整流回路と、
前記第１の整流回路と並列に接続され、前記２次巻線から出力される電圧を整流して出力し、前記第１の整流回路よりも電圧降下の小さい第２の整流回路と
を備え、
前記第２の整流回路は、前記電源装置に接続された負荷が必要とする電圧の大きさに応じて前記２次巻線から出力される電圧に対する整流動作を停止または実行することを特徴とする電源装置。
【請求項２】
前記第１の整流回路は、
前記２次巻線から出力される電圧を整流する第１の整流素子
を備え、
前記第２の整流回路は、
前記２次巻線から出力される電圧を整流する第２の整流素子と、
前記第２の整流素子に接続され、前記負荷が必要とする電圧が所定の電圧より大きければ前記第２の整流素子を介した前記負荷への電流の通電経路を遮断し、前記負荷が必要とする電圧が所定の電圧以下であれば前記第２の整流素子を介した前記負荷への電流の通電経路を接続するスイッチング回路と
を備えることを特徴とする請求項１に記載の電源装置。
【請求項３】
前記負荷は、より大きな電圧を必要とする稼働モードと、より小さな電圧を必要とする省電力モードとを備え、
前記スイッチング回路は、前記負荷が前記稼働モードに移行すると前記通電経路を遮断し、前記負荷が前記省電力モードに移行すると前記通電経路を接続するスイッチング素子を備えることを特徴とする請求項２に記載の電源装置。
【請求項４】
前記第１の整流素子および前記第２の整流素子はともにダイオードであり、
前記スイッチング素子は電界効果トランジスタであり、
前記第１の整流素子のアノードと前記第２の整流素子のアノードとがともに前記２次巻線が備える２つの端子のうち一方の端子に接続されており、
前記第１の整流素子のカソードは、前記電界効果トランジスタのソース端子と接続されており、
前記第２の整流素子のカソードは、前記電界効果トランジスタのドレイン端子と接続されており、
前記電界効果トランジスタのゲート端子には、前記負荷が前記稼働モードに移行すると前記電界効果トランジスタをオフに切り換える第１制御信号が入力され、前記負荷が前記省電力モードに移行すると前記電界効果トランジスタをオンに切り換える第２制御信号が入力されることを特徴とする請求項３に記載の電源装置。
【請求項５】
前記第２の整流素子はショットキーバリアダイオードであることを特徴とする請求項３に記載の電源装置。
【請求項６】
前記第１の整流素子には第１の放熱部材が取り付けられており、
前記第２の整流素子には前記第１の放熱部材よりも放熱面積が小さな第２の放熱部材が取り付けられているか、または、放熱部材が取り付けられていないことを特徴とする請求項２ないし５のいずれか１項に記載の電源装置。
【請求項７】
画像を形成するための画像形成部と、
前記画像形成部を制御する制御部と、
前記制御部に電力を供給する電源と、を備え、
前記電源は、
１次巻線に入力された交流電圧を変圧して２次巻線から出力する変圧器と、
前記２次巻線に接続され、該２次巻線から出力される電圧を整流して出力する第１の整流回路と、
前記第１の整流回路と並列に接続され、前記２次巻線から出力される電圧を整流して出力し、前記第１の整流回路よりも電圧降下の小さい第２の整流回路と
を備え、
前記第２の整流回路は、前記電源に接続された負荷が必要とする電圧の大きさに応じて前記２次巻線から出力される電圧に対する整流動作を停止または実行することを特徴とする画像形成装置。
【請求項８】
前記画像形成部は、前記電源から電力の供給を受けて、画像を形成する駆動モードと、画像を形成せずに電力の消費を低減する省電力モードのいずれかで動作することを特徴とする請求項７に記載の画像形成装置。
【発明の詳細な説明】
【技術分野】
【０００１】
本発明は、画像形成装置などの電子機器に電圧を供給する電源装置に関する。
【背景技術】
【０００２】
特許文献１によればフライバックコンバータが提案されている。フライバックコンバータでは、トランスの２次側に整流用のダイオードが接続される。しかし、フライバックコンバータの出力電圧が低下すると、このダイオードの順方向電圧による損失が無視できなくなる。とりわけ、プリンタや複写機などの画像形成装置では、待機時の消費電力を削減するためには、この損失が無視できなくなりつつある。そこで、特許文献２によれば、同期整流制御回路を用いてこの損失を減少させることが提案されている。
【先行技術文献】
【特許文献】
【０００３】
【特許文献１】特開２００２−３５４８２１号公報
【特許文献２】特開２００５−１９８３７５号公報
【発明の概要】
【発明が解決しようとする課題】
【０００４】
特許文献２のように、同期整流制御回路を用いると、同期整流制御回路を構成する電界効果トランジスタ（ＦＥＴ）のオン抵抗が数１０ｍΩ程度なので、省電力モードにおける電力の損失を抑えることができる。しかし、整流用のスイッチング素子には、最大電流と耐圧の高い駆動素子（例えば、高価でサイズの大きいＦＥＴ）を選択する必要があり、大型で高価な素子が必要となってしまう。さらに、制御回路が複雑になってしまい電源装置の大型化やコスト増の要因になってしまう。
【０００５】
そこで、本発明は、省電力モードなど、負荷の消費電力が比較的に少ない状態において従来技術よりもさらに消費電力を削減しつつ、かつ、電源装置を小型かつ安価にすることを目的とする。
【課題を解決するための手段】
【０００６】
本願発明の電源装置は、１次巻線に入力された交流電圧を変圧して２次巻線から出力する変圧器と、２次巻線に接続され、２次巻線から出力される電圧を整流して出力する第１の整流回路とを備える。さらに、電源装置は、第１の整流回路と並列に接続され、２次巻線から出力される電圧を整流して出力する第２の整流回路を備える。なお、第２の整流回路は、第１の整流回路よりも電圧降下の小さい回路である。この第２の整流回路は、電源装置に接続された負荷が必要とする電圧の大きさに応じて２次巻線から出力される電圧に対する整流動作を停止または実行する。
【発明の効果】
【０００７】
本願発明によれば、変圧器の２次側において２つの整流回路を並列に接続し、一方の整流回路が、電源装置に接続された負荷が必要とする電圧の大きさに応じて２次巻線から出力される電圧に対する整流動作を停止または実行する。つまり、省電力モードに移行すると２つの整流回路がアクティブとなり、稼働モードに移行すると一方の整流回路がアクティブとなる。これにより、省電力モードに移行したときの消費電力が低減することになる。また、２つの整流回路を並列に接続し、モードに応じて（つまり要求される電圧の大きさに応じて）一方の整流回路を機能させたり、停止させたりするため、必要となる回路構成も小型で安価な構成で実現できる。
【図面の簡単な説明】
【０００８】
【図１】実施例にかかる画像形成装置の概略断面図である。
【図２】実施例１にかかる電源装置の回路構成例を示す図である。
【図３】（Ａ）は整流ダイオードの温度上昇を示す図であり、（Ｂ）は順方向電圧に対する順方向電流の温度依存性を示す図であり、（Ｃ）は、実施例１における整流ダイオードの順方向電流を示す図である。
【図４】関連技術の電源回路を示す図である。
【図５】（Ａ）は関連技術の電源回路を示す図であり、（Ｂ）は同期整流制御回路を示す図である。
【図６】実施例２における整流ダイオードの順方向電流を示す図である。
【発明を実施するための形態】
【０００９】
［実施例１］
図１は電子写真プロセスを用いたタンデム方式のカラー画像形成装置の構成図である。画像形成装置１００は、イエロー（Ｙ）、マゼンダ（Ｍ）、シアン（Ｃ）、ブラック（Ｋ）の４色のトナーを重ねあわせることで多色画像を媒体に形成する画像形成部３０を備えている。制御ユニット４０は画像形成部３０を制御する制御部であり、ＭＰＵ（マイクロコンピュータ）４１を備えている。ＭＰＵ４１は、ワークエリアとして機能するＲＡＭ４２、プログラムやデータなどを記憶するＲＯＭ４３、時間を計時するタイマ４４などを備えている。電源装置１０は、制御ユニット４０により制御されて、画像形成部３０が備える帯電ローラに帯電バイアスを印加し、現像ローラに現像バイアスを印加し、２次転写ローラ２９に転写バイアスを印加する電源装置である。このように、画像形成部３０は、電源装置１０から電力が供給されて媒体に画像を形成する。画像形成部３０は、画像を形成する稼働モードと、画像を形成せずに電力の消費を抑える省電力モードとを備えている。また、電源装置１０は、制御ユニット４０により制御されて、各種のモータに電力を供給したり、レーザダイオードに対しても電力を供給したりする。なお、これらの負荷は、より大きな電圧を必要とする稼働モードと、より小さな電圧を必要とする省電力モードとを備えている。
【００１０】
電源装置１０は、画像形成装置１００が画像形成を行っていない場合、動作させる必要の無いユニットへの電力の供給を停止する。例えば、画像形成装置１００へのアクセスが一定時間行われない場合、不図示のビデオコントローラが制御ユニット４０内にあるＭＰＵ４１に切り替え信号を送信する。ＭＰＵ４１は、切り替え信号を受信すると稼働モードから省電力モードへ移行する。省電力モードから復帰する条件としては、外部のホストコンピュータから送られてくるビットデータをビデオコントローラが受信したことや、画像形成装置１００のドアをオープン／クローズしたことなどが挙げられる。これらの事象はＭＰＵ４１が、ビデオコントローラからの通知信号やセンサからの検知信号に基づいて検出するものとする。
【００１１】
＜電源装置の回路構成＞
図２を参照して実施形態にかかる電源装置１０の回路構成例について説明する。商用交流電源１０１は、交流電圧を供給する電源であり、交流電圧の大きさは基本的に国ごとに異なる。ラインフィルタ１０２は、商用交流電源１０１に接続されており、交流ライン上のノイズを除去するフィルムコンデンサやバリスタなどにより構成されている。ダイオードブリッジ１０３は交流電圧を整流するための回路である。１次平滑アルミ電解コンデンサ１０４は、ダイオードブリッジ１０３から出力される電圧を平滑する回路素子である。コンバータ部１２０は、トランス１０６を中心として構成されている。トランス１０６は、１次巻線に入力された交流電圧を変圧して２次巻線から出力する変圧器である。トランス１０６の１次巻線Ｎ１の一方の端子はダイオードブリッジ１０３の出力端子と１次平滑アルミ電解コンデンサ１０４の一方の端子とに接続されている。また、トランス１０６の１次巻線Ｎ１の他方の端子は、ＦＥＴ１０５のドレイン端子に接続されている。ＦＥＴは、電界効果トランジスタの略称である。１次平滑アルミ電解コンデンサ１０４の他方の端子と、ダイオードブリッジ１０３のもう一方の出力端子は、ＦＥＴ１０５のソース端子に接続されている。ＦＥＴ１０５は、トランス１０６の１次側をスイッチングするメインスイッチング素子である。ＦＥＴ１０５のゲート端子は、メインＦＥＴスイッチング制御部１１２に接続されている。ＦＥＴ１０５は、メインＦＥＴスイッチング制御部１１２が出力する制御信号に応じてスイッチング動作する。
【００１２】
トランス１０６の２次巻線Ｎ２の一方の端子は、整流ダイオード１０７のアノードと、整流ダイオード１０８のアノードに接続されている。整流ダイオード１０７は、２次巻線に接続され、２次巻線から出力される電圧を整流して出力する第１の整流回路である。また、整流ダイオード１０７は、画像形成装置１００が稼働モードに移行しているときに２次巻線Ｎ２から出力される出力電圧を整流する整流素子である。つまり、整流ダイオード１０７は、２次巻線から出力される電圧を整流する第１の整流素子である。
【００１３】
整流ダイオード１０８は、第１の整流回路と並列に接続され、２次巻線から出力される電圧を整流して出力する第２の整流回路の一例である。たとえば、第２の整流回路は第１の整流回路よりも電圧降下の小さい回路である。整流ダイオード１０８は、２次巻線から出力される電圧を整流する第２の整流素子である。整流ダイオード１０８は、電源装置に接続された負荷が必要とする電圧の大きさに応じて２次巻線から出力される電圧に対する整流動作を停止または実行する。また、整流ダイオード１０８は、画像形成装置１００が省電力モードに移行しているときに２次巻線Ｎ２からの出力電圧を整流する整流素子である。制御ユニット４０に搭載されているＭＰＵ４１は、画像形成装置１００の内部状態に応じて稼働モードに移行するから省電力モードに移行するかを決定する。省電力モードに移行すると決定すると、ＭＰＵ４１は、ＦＥＴ１１４のゲート端子に所定の制御信号を出力する。例えば、ＭＰＵ４１は、負荷が稼働モードに移行するとＦＥＴ１０９をオフに切り換える第１制御信号をＦＥＴ１１４のゲート端子に入力する。この制御信号によって、ＦＥＴ１１４がオフからオンに切り替わる。一方、ＭＰＵ４１は、負荷が省電力モードに移行するとＦＥＴ１０９をオンに切り換える第２制御信号をＦＥＴ１１４のゲート端子に入力する。ＦＥＴ１１４のソース端子は接地されており、ドレイン端子は、ＦＥＴ１０９のゲート端子に接続されている。ＦＥＴ１０９のソース端子は、整流ダイオード１０７のカソードと、２次平滑アルミ電解コンデンサ１１０の一方の端子とに接続されている。ＦＥＴ１０９のドレイン端子は、整流ダイオード１０８のカソードに接続されている。ＦＥＴ１０９のオン／オフは、ＦＥＴ１１４のオン／オフに連動している。２次平滑アルミ電解コンデンサ１１０の他方の端子は、トランス１０６の２次巻線Ｎ２の他方の端子に接続されているとともに、設置されている。ＦＥＴ１０９やＦＥＴ１１４は、第２の整流素子に接続され、負荷が必要とする電圧が所定の電圧より大きければ第２の整流素子を介した負荷への電流の通電経路を遮断し、負荷が必要とする電圧が所定の電圧以下であれば第２の整流素子を介した負荷への電流の通電経路を接続するスイッチング回路として機能する。また、ＦＥＴ１０９やＦＥＴ１１４は、負荷が稼働モードに移行すると通電経路を遮断し、負荷が省電力モードに移行すると通電経路を接続するスイッチング素子である。２次平滑アルミ電解コンデンサ１１０は、稼働モードにおいて整流ダイオード１０８から出力される電圧を平滑する。また、２次平滑アルミ電解コンデンサ１１０は、省電力モードにおいて整流ダイオード１０７および整流ダイオード１０８から出力される電圧を平滑する。
【００１４】
電圧フィードバック制御部１１３は、電源装置１０の出力端子に接続された分圧回路によって分圧された電圧（出力電圧の分圧値）をモニタし、分圧値をメインＦＥＴスイッチング制御部１１２にフィードバックする。メインＦＥＴスイッチング制御部１１２は、この分圧値を１次側におけるＦＥＴ１０５のメインスイッチング動作へフィードバックする。分圧値は、整流回路と平滑回路を通過して出力された出力電圧（直流電圧）を分圧した電圧の値である。メインＦＥＴスイッチング制御部１１２は、制御ユニット４０から設定された制御目標値に対して分圧値が一致するようにＦＥＴ１０５を制御することで、電源装置１０からの出力電圧を目標電圧に制御する。
【００１５】
ところで、整流ダイオード１０７には、放熱板（図示せず）などの放熱部材が備え付けられており、整流ダイオード１０７の昇温による熱暴走を防いでいる。なお、整流ダイオード１０８には、放熱部材を取りつけなくてもよいし、整流ダイオード１０７の放熱部材よりも放熱面積の小さな小型の放熱部材を取り付ければ十分である。整流ダイオード１０７には、稼働モードにおいては電流が流れず、省電力モードにおいてのみ電流が流れるからである。また、整流ダイオード１０７に流れる電流の最大値は、稼働モードにおいて整流ダイオード１０８に流れる電流の最大値よりもずっと小さいからである。このように、第１の整流素子には第１の放熱部材が取り付けられており、第２の整流素子には第１の放熱部材よりも放熱面積が小さな第２の放熱部材が取り付けられているか、または、放熱部材が取り付けられていなくてもよい。
【００１６】
次に、本実施例における電源装置１０の制御方法について説明する。稼働モード（画像形成を実行するモード）において、ＭＰＵ４１は、ＦＥＴ１０９がオフになるようにＦＥＴ１１４をオフにするための制御信号を出力する。これにより、２次巻線Ｎ２からの出力電圧は整流ダイオード１０７によって整流される。整流ダイオード１０７には、放熱板が備え付けられているため発熱による温度上昇を回避することができる。省電力モードにおいてＭＰＵ４１は、ＦＥＴ１１４をオンにする制御信号をゲート端子に出力する。ＦＥＴ１１４がオンした直後はＦＥＴ１０９がオンになり、整流ダイオード１０７、１０８の両方に電流が流れる。
【００１７】
図３（Ａ）を用いて整流ダイオードについて温度上昇について説明する。横軸は時間の経過を示し、縦軸は温度を示している。３０１は整流ダイオード１０７の時間温度特性を示し、３０２は整流ダイオード１０７の時間温度特性を示している。上述したように、整流ダイオード１０８は、放熱板が備えられていないか、または小型の放熱板が備えられているにすぎない。そのため、整流ダイオード１０８の温度上昇が整流ダイオード１０７の温度上昇よりも速い。
【００１８】
図３（Ｂ）は整流ダイオードの順方向電圧Ｖｆと順方向電流Ｉｆとの関係を示している。この例は、整流ダイオードの温度が１５０°Ｃのケースと、２５°Ｃのケースとについての例である。図３（Ｂ）かから、整流ダイオードの順方向電圧（Ｖｆ）に対する順方向電流Ｉｆには温度依存性があることが確認できる。
【００１９】
上述したように、整流ダイオード１０８の温度上昇が整流ダイオード１０７の温度上昇よりも速い。この場合、温度依存性が原因となり、整流ダイオード１０８の順方向電圧Ｖｆが整流ダイオード１０７の順方向電圧Ｉｆより小さくなる。
【００２０】
図３（Ｃ）は、省電力モードにおける整流ダイオード１０７に流れる順方向電流３０３と、整流ダイオード１０８に流れる順方向電流３０４とを示している。図３（Ｃ）が示すように、省電力モードにおいては、トランス１０６の２次側から出力される電流のほとんどが整流ダイオード１０８に流れるようになる。整流ダイオード１０８は、温度上昇によって順方向電圧Ｖｆが小さくなることと、ＦＥＴ１０９のオン抵抗が小さいことから、整流ダイオード１０８とＦＥＴ１０９で消費される消費電力が関連技術の消費電力よりも小さくなる。
【００２１】
図４は、関連技術にかかる電源装置の回路構成を示している。なお、すでに説明した個所には同一の参照符号を付与することで説明の簡潔化を図ることにする。図４に示した関連技術では整流ダイオード４０１で消費する電力が大きい。つまり、実施例１にかかる整流ダイオード１０８とＦＥＴ１０９で消費される消費電力は、関連技術では整流ダイオード４０１で消費する電力よりも少なくなるのである。よって、実施例１は、省電力モードにおける低消費電力化に有効な回路構成といえる。例えば、画像形成装置１００において実験したところ、関連技術の回路構成による省電力モードの消費電力は０．９８１Ｗであるが、実施例１の回路構成での消費電力は０．８２７Ｗであった。つまり、約１５０ｍＷ（約１５%）の消費電力を改善できたことになる。
【００２２】
図５は、関連技術にかかる同期整流制御回路を用いた電源装置の回路構成を示している。なお、すでに説明した個所には同一の参照符号を付与することで説明の簡潔化を図ることにする。図５（Ａ）が示すように、トランス１０６には３次巻線Ｎ３が設けられており、３次巻線Ｎ３の誘起電圧が整流用のスイッチング素子であるＦＥＴ５０２のゲートに印加される。この回路構成においては、メインスイッチング素子であるＦＥＴ１０５がオンになると３次巻線Ｎ３の誘起電圧がＦＥＴ５０２をオフにする極性となり、反対に、ＦＥＴ１０５がオフになると３次巻線Ｎ３の誘起電圧がＦＥＴ５０２をオンにする極性となる。したがって、ＦＥＴ１０５をオフにすると、トランス１０６の２次巻線Ｎ２の誘起電圧がＦＥＴ５０２を介して２次平滑アルミ電解コンデンサ１１０に印加され、この２次平滑アルミ電解コンデンサ１１０の端子間電圧が出力電圧Ｖｏｕｔとなる。
【００２３】
図５（Ｂ）によれば、同期整流制御回路５０１の詳細な回路図が示されている。コンパレータ回路５１８の非反転入力端子は、それぞれ抵抗５２１、５２２を介してＦＥＴ５０２のドレイン、ソースに接続されている。コンパレータ回路５１８の反転入力端子は抵抗５２０を介してＦＥＴ５０２のソースに接続されている。コンデンサ５２３とダイオード５２４でコンパレータ回路５１８の動作電圧源を構成している。この動作電圧源は抵抗５１９を介してコンパレータ回路５１８の出力端子にも接続されている。図５（Ａ）に示した３次巻線Ｎ３は、抵抗５１７を介してＦＥＴ５０２のゲートと接続されるとともに、ＦＥＴ５０２のソースとも接続されている。このように、同期整流制御回路５０１は、ＦＥＴ５０２のゲート制御を行う駆動制御手段を構成している。
【００２４】
ダイオード５１６のアノードはＦＥＴ５０２のゲートと抵抗５１７との接続点に接続されている。ダイオード５１６のカソードはトランジスタ５１５のコレクタと接続されている。トランジスタ５１５は、３次巻線Ｎ３に対して並列に設けられ、ＦＥＴ５０２を遮断するためのスイッチング回路を構成している。
【００２５】
この同期整流制御回路５０１を電源装置１０に用いると、ＦＥＴ５０２は大型となり、放熱板も必要となる。さらに、ＦＥＴ１０５のオン／オフするのに対応してＦＥＴ５０２がオフ／オンする必要がある。もしＦＥＴ１０５とＦＥＴ５０２との間でこれらのオンとオフのタイミングがずれてしまうと、短絡電流が流れてしまうため、ＦＥＴ１０５とＦＥＴ５０２の損失が増大し、これらが破壊に至る可能性がある。これを回避するには、同期整流インダクタンス素子（図示せず）などがさらに必要となる。よって、図５（Ａ）（Ｂ）に示した関連技術では、電源回路の大型化が避けられない。
【００２６】
一方、実施例１の回路構成では、整流ダイオード１０７には放熱板が必要となるものの、整流ダイオード１０８やＦＥＴ１０９として小型で耐圧の低い部品を採用できる。なぜなら、整流ダイオード１０８やＦＥＴ１０９に流れる電流は、整流ダイオード１０７に流れる電流と比較して、が小さいためである。よって、実施例１では、図５（Ａ），（Ｂ）に示した関連技術と比較して、電源回路の小型化や低コスト化に有効である。
【００２７】
本実施例によれば、トランス１０６の２次側において整流ダイオード１０７と整流ダイオード１０８とを並列に接続する。そして、整流ダイオード１０８は、電源装置１０に接続された負荷が必要とする電圧の大きさ（つまり省電力モードか稼働モードか）に応じて２次巻線から出力される電圧に対する整流動作を停止または実行する。すなわち、省電力モードに移行すると整流ダイオード１０７と整流ダイオード１０８とがともにアクティブとなり、稼働モードに移行すると整流ダイオード１０７のみがアクティブとなる。これにより、省電力モードに移行したときの消費電力が低減することになる。また、整流ダイオード１０７と整流ダイオード１０８とを並列に接続し、モードに応じて（つまり要求される電圧の大きさに応じて）整流ダイオード１０８を機能させたり、停止させたりする。そのため、図５（Ａ），（Ｂ）に示した関連技術と比較し、実施例１では、必要となる回路構成を小型で安価な構成で実現できる。これは、ＦＥＴ１０９は、ＦＥＴ５０２と比較して、小型でかつ耐圧の低いＦＥＴを選択できるからである。また、実施例１の回路構成では、図４に示した回路構成と比較して、省電力モードにおける待機電力を削減することができる。
【００２８】
［実施例２］
実施例２は、整流ダイオード１０８として実施例１より順方向電圧Ｖｆがさらに小さいタイプ（ショットキーバリアダイオード）を使用する例である。
【００２９】
図６は、実施例２についての、整流ダイオード１０７と、整流ダイオード１０８の順方向電流特性を示している。３０１‘は、整流ダイオード１０８であるショットキーバリアダイオードに流れる順方向電流を示している。図３（Ｃ）と図６とを比較するとわかるように、実施例２では、ＦＥＴ１０９をオンした直後にはほとんどの電流が整流ダイオード１０８に流れる。順方向電圧Ｖｆが小さいダイオードでは熱暴走のリスクがある。しかし、整流ダイオード１０８に流れる電流が小さいため熱暴走に至る可能性はほとんどないだろう。実施例２の整流ダイオード１０８も、実施例１と同様に放熱板の必要性は小さい。
【００３０】
このように、実施例２では、順方向電圧Ｖｆが小さく、かつ、ＦＥＴ１０９のオン抵抗も低いことから、省電力モードにおける消費電力を低下させることができる。さらに、整流ダイオード１０８として順方向電圧Ｖｆが小さいタイプを採用できることから、電流定格を落とすことが可能となる。その結果、整流ダイオード１０８は、整流ダイオード１０７よりは安価なものを選択することが可能になる。実施例２においてＦＥＴ１０９は実施例１同様に小型で耐圧の低いＦＥＴを選択することが可能となる。
【図１】
0005701023.tif 000002
【図２】
0005701023.tif 000003
【図３】
0005701023.tif 000004
【図４】
0005701023.tif 000005
【図５】
0005701023.tif 000006
【図６】
0005701023.tif 000007